(57)【要約】【課題】消費電力の増大を招くことなく、必要な希望信号を適切に得ることが可能な受信装置を提供する。【解決手段】ダイレクトコンバージョン方式又はＬｏｗ−ＩＦ方式を採用する受信装置において、非希望信号の電力が通常値の場合には、ＬＮＡ１０１による増幅を十分行い、増幅器１１４，１１５による増幅は省略する。非希望信号の電力が希望信号の電力に比べて非常に大きい場合には、ＬＮＡ１０１による増幅を省略し、増幅器１１４，１１５による希望信号に対する増幅で省略分を補う。【選択図】図１
2006115345.tif 000002
【特許請求の範囲】
【請求項１】
希望信号と非希望信号を含むＲＦ受信信号を増幅する第１増幅器と、
前記希望信号を増幅する第２増幅器と、
前記希望信号の電力と前記非希望信号の電力との関係の判定を行い、該判定結果に基づ
いて前記第１増幅器による増幅と前記第２増幅器による増幅の切り替えを行う制御部と
を備えることを特徴とする受信装置。
【請求項２】
希望信号と非希望信号とを含むＲＦ受信信号を増幅する第１増幅器と、
前記ＲＦ受信信号をベースバンド信号又は低中間周波数信号に変換する周波数変換部と、
該周波数変換部からの出力信号から前記希望信号を抽出する抽出部と、
前記抽出部により抽出された前記希望信号を増幅する第２増幅器と、
前記ＲＦ受信信号の電力と前記希望信号の電力との関係の判定を行い、該判定結果に基
づいて前記第１増幅器による増幅と前記第２増幅器による増幅の切り替えを行う制御部と
を備えることを特徴とする受信装置。
【請求項３】
前記制御部は、
前記ＲＦ受信信号の電力の前記希望信号の電力に対する差が所定値以上の場合、前記第
２増幅器を使用し、前記第１増幅器を使用しないよう制御し、
前記ＲＦ受信信号の電力の前記希望信号の電力に対する差が所定値未満の場合、前記第
１増幅器を使用し、前記第２増幅器を使用しないよう制御することを特徴とする請求項１
又は２に記載の受信装置。
【請求項４】
前記制御部は、前記ＲＦ受信信号の電力及び前記希望信号の電力、前記ＲＦ受信信号の
電力に基づいて生成された増幅制御信号及び前記希望信号の電力に基づいて生成された増
幅制御信号、又は、受信装置の位置の少なくとも１つを用いて前記判定を行うことを特徴
とする請求項１乃至３いずれか１項に記載の受信装置。
【請求項５】
前記制御部は、受信装置起動時、放送信号の受信チャンネル切り替え時、又は、前記Ｒ
Ｆ受信信号を変換して出力するデータに誤りが発生した時の少なくとも１つにおいて前記
切り替えを行うことを特徴とする請求項１乃至４のいずれか１項に記載の受信装置。
【請求項６】
前記制御部は、前記第１増幅器と前記第２増幅器を、前記切り替えにより使用しない間
、スタンバイ状態、又は、電源をオフとすることを特徴とする請求項１乃至５のいずれか
１項に記載の受信装置。
【請求項７】
前記希望信号は選局されたチャンネルの地上波デジタル放送によるデジタル放送信号で
あり、前記非希望信号は地上波アナログ放送によるアナログ放送信号及び前記選局された
チャンネル以外のデジタル放送信号であることを特徴とする請求項１乃至６のいずれか１
項に記載の受信装置。
【請求項８】
前記制御部は、前記第１増幅器と前記周波数変換部との間の前記ＲＦ受信信号の電力と
、前記第２増幅器よりも後段の前記希望信号の電力を用いて前記判定を行うことを特徴と
する請求項１乃至７のいずれか１項に記載の受信装置。
【発明の詳細な説明】
【技術分野】
【０００１】
本発明は、受信装置に関する。
【背景技術】
【０００２】
近年、地上波デジタルテレビジョン放送の開発が行われ、現在利用されているアナログ
テレビジョン放送から、デジタルテレビジョン放送への移行が開始されている。アナログ
テレビジョン放送は、２０１１年に停止する予定となっているが、アナログテレビジョン
放送からデジタルテレビジョン放送への移行期間中は、デジタルテレビジョン放送とアナ
ログテレビジョン放送が混在した放送が行われる（例えば、特許文献１参照）。
【０００３】
又、地上波デジタル放送では、１チャンネルの帯域を１３セグメントに分割している。
固定端末は、１３セグメントを受信可能である。移動端末は、中央の１セグメントだけを
受信可能である。このような移動端末が受信可能な１セグメントを放送する部分受信放送
を１セグメント放送という。
【０００４】
１３セグメントを受信する固定端末は、周波数変換方式として、シングルコンバージョ
ン方式やダブルコンバージョン方式を用いる。シングルコンバージョン方式は、ＲＦ受信
信号を、一旦、中間周波数（ＩＦ：Intermediate  Frequency）信号に周波数変換する。
次に、ＳＡＷ（Surface  Acoustic  Wave：表面弾性波）フィルタが希望チャンネルだけ
を抽出する。最後に、再度、周波数変換を行って、ベースバンド信号又は低中間周波数（
Ｌｏｗ−ＩＦ）信号に変換する。
【０００５】
ダブルコンバージョン方式は、ＲＦ受信信号を、一旦、高い周波数に変換し、緩やかな
抽出を行うバンドパスフィルタ（ＢＰＦ）で希望信号を抽出する。次に、バンドパスフィ
ルタにより抽出された希望信号を中間周波数（ＩＦ）信号に周波数変換する。更に、ＳＡ
Ｗフィルタが希望チャンネルだけを抽出する。最後に、再度、周波数変換を行って、ベー
スバンド又は低中間周波数（Ｌｏｗ−ＩＦ）信号に変換する（例えば、特許文献２参照）
。
【０００６】
これに対し、移動端末は、小型・省電力化が求められている。そのため、移動端末には
、部品面積が大きいＳＡＷフィルタが不要で、かつ、周波数変換が１度で済み、省電力を
実現できる、ダイレクトコンバージョン方式やＬｏｗ―ＩＦ方式などの周波数変換方式の
採用が検討されている（例えば、非特許文献１参照）。
【０００７】
ダイレクトコンバージョン方式は、ＲＦ受信信号を直接ベースバンド信号に変換する方
式で、ローパスフィルタを用いて希望のベースバンド信号を抽出する。Ｌｏｗ−ＩＦ方式
は、ＲＦ受信信号を直接Ｌｏｗ−ＩＦ信号に変換する方式で、多相フィルタを用いて希望
のＬｏｗ−ＩＦ信号を抽出する。
【特許文献１】特開２００４―１１２０７９号公報
【特許文献２】特開２００３―３１８７６１号公報
【非特許文献１】伊藤鶴美他３名，「地上ディジタル放送対応携帯電話機」，三洋電機技報，Ｖｏｌ．３６，Ｊｕｎｅ  ２００４，通巻第７４号
【発明の開示】
【発明が解決しようとする課題】
【０００８】
デジタルテレビジョン放送とアナログテレビジョン放送が混在した放送が行われる期間
中は、受信装置は両方の信号を受信してしまう。このとき、デジタル放送信号の受信を希
望する受信装置が受信するアナログ放送信号の受信電力が、デジタル放送信号の受信電力
に比べて大幅に大きくなってしまう場合がある。
【０００９】
例えば、デジタル放送信号とアナログ放送信号の送信場所が異なる地域において、受信
装置がアナログ放送信号の送信場所付近でデジタル放送信号を受信した場合、アナログ放
送信号の受信電力がデジタル放送信号の受信電力に比べて非常に大きくなってしまう。又
、デジタル放送信号とアナログ放送信号の送信電力が異なる場合にも、アナログ放送信号
の電力がデジタル放送信号の電力に比べて非常に大きくなってしまう場合がある。
【００１０】
又、デジタル放送信号の受信電力は、チャンネル間でほぼ等しいことが望まれているが
、チャンネル毎の送信電力の違いや受信場所等によって、選局されたチャンネルのデジタ
ル放送信号の受信電力が、他のチャンネルの受信電力よりも大幅に小さくなってしまう場
合がある。例えば、受信装置が、フリンジエリア（受信エリアの端）やフェージング環境
において受信を行う場合等である。
【００１１】
更に、テレビジョン放送信号に限らず、受信装置が受信を希望する希望信号以外の信号
（非希望信号）の受信電力が、希望信号に比べて大幅に大きくなってしまう場合がある。
そのため、非希望信号の受信電力が希望信号の受信電力よりも大幅に大きい場合であって
も、通常値の場合であっても、必要な希望信号を得ることが可能な増幅器を設けることで
対応することが考えられる。しかし、このような増幅器は、増幅器の線形性（リニアリテ
ィ）と低い雑音指数（ＮＦ：Noise  Figure）を確保するために、高い電源電圧が必要と
なり、消費電力が増大してしまう。
【００１２】
又、シングルコンバージョン方式やダブルコンバージョン方式のように、周波数変換を
行うミキサの前段にＳＡＷフィルタを挿入する方式を採用する受信装置の場合、ミキサに
は希望信号だけが入力される。よって、このような受信装置は妨害波に強い。これに対し
、ＳＡＷフィルタを用いないダイレクトコンバージョン方式やＬｏｗ−ＩＦ方式を採用す
る受信装置は、妨害波に弱い。具体的には、ダイレクトコンバージョン方式やＬｏｗ−Ｉ
Ｆ方式の受信装置では、ミキサに非希望信号も入力されてしまう。そのため、ミキサに入
力される信号そのものが歪んでしまう。その結果、ミキサにおける周波数変換が適切にで
きず、希望信号に歪み成分が残ってしまう。
【００１３】
更に、移動端末のように移動する受信装置は、受信場所が固定ではなく、静止、歩行移
動、自動車等での移動といったように受信環境が刻々と変換する。そのため、特に妨害波
の影響を受けやすい。
【００１４】
そこで、本発明は、消費電力の増大を招くことなく、必要な希望信号を適切に得ること
ができる受信装置を提供することを目的とする。
【課題を解決するための手段】
【００１５】
本発明に係る受信装置は、希望信号と非希望信号を含むＲＦ受信信号を増幅する第１増
幅器と、希望信号を増幅する第２増幅器と、希望信号の電力と非希望信号の電力との関係
の判定を行い、その判定結果に基づいて第１増幅器による増幅と第２増幅器による増幅の
切り替えを行う制御部とを備えることを特徴とする。希望信号は、受信装置が受信を希望
する信号であり、非希望信号は、希望信号以外の受信装置が受信を希望しない信号である
。
【００１６】
また、受信装置は、ＲＦ受信信号をベースバンド信号又は低中間周波数信号に変換する
周波数変換部と、周波数変換部からの出力信号から希望信号を抽出する抽出部とを備える
ことができる。この場合、第２増幅器は、抽出部により抽出された希望信号を増幅する。
【００１７】
このような受信装置によれば、希望信号と非希望信号の電力の関係に応じて適切な増幅
ができるように、第１増幅器による増幅と第２増幅器による増幅を切り替えることができ
る。よって、非希望信号の電力が大きい場合であっても、周波数変換部に入力されるＲＦ
受信信号の歪みを抑えることができる。その結果、必要な希望信号を適切に得ることがで
きる。しかも、特別な増幅器を設ける必要がなく、ＳＡＷフィルタも用いないため、消費
電力の増大を招くこともない。
【００１８】
例えば、制御部は、ＲＦ受信信号の電力の希望信号の電力に対する差が所定値以上の場
合、第２増幅器を使用し、第１増幅器を使用しないよう制御し、ＲＦ受信信号の電力の希
望信号の電力に対する差が所定値未満の場合、第１増幅器を使用し、第２増幅器を使用し
ないよう制御することができる。
【００１９】
又、制御部は、ＲＦ受信信号の電力及び希望信号の電力、受信信号の電力に基づいて生
成された増幅制御信号及び希望信号の電力に基づいて生成された増幅制御信号、又は、受
信装置の位置の少なくとも１つを用いて判定を行うことができる。
【００２０】
受信信号の電力及び希望信号の電力を用いる場合、受信装置は、受信信号から希望信号
を得る過程における信号を用いて、希望信号と非希望信号の電力の関係を判定できる。増
幅制御信号を用いる場合、受信装置は、受信信号や希望信号の電力に応じて決まる増幅制
御信号を用いて、希望信号と非希望信号の電力の関係を判定できる。更に、位置を用いる
場合、位置に依存して希望信号と非希望信号の受信状況が変動する際に、受信装置は位置
を反映させた判定ができる。
【００２１】
更に、制御部は、受信装置起動時、放送信号の受信チャンネル切り替え時、又は、ＲＦ
受信信号を変換して出力するデータに誤りが発生した時の少なくとも１つにおいて切り替
えを行うことが好ましい。これによれば、受信装置は、切り替えによる信号の不連続の影
響が少ないタイミングで、切り替えを行うことができる。
【００２２】
更に、制御部は、第１増幅器と第２増幅器を、切り替えにより使用しない間、スタンバ
イ状態、又は、電源をオフとすることが好ましい。これによれば、受信装置は、更なる省
電力化が可能となる。
【００２３】
例えば、希望信号は選局されたチャンネルの地上波デジタル放送によるデジタル放送信
号等であり、非希望信号は地上波アナログ放送によるアナログ放送信号及び選局されたチ
ャンネル以外のデジタル放送信号である。
【００２４】
又、制御部は、第１増幅器と周波数変換部との間のＲＦ受信信号の電力と、第２増幅器
よりも後段の希望信号の電力を用いて判定を行うことができる。
【発明の効果】
【００２５】
以上説明したように、本発明によれば、消費電力の増大を招くことなく、必要な希望信
号を適切に得ることが可能な受信装置を提供できる。
【発明を実施するための最良の形態】
【００２６】
図１に受信装置１の構成を示す。受信装置１は、直交周波数分割多重方式（Orthogonal
Frequency Division Multiplexing方式、以下「ＯＦＤＭ方式」と表す）に従う処理を行
う。ＯＦＤＭ方式は、映像信号や音声信号を高品質に伝送することができ、周波数利用効
率の向上を図ることができる。ＯＦＤＭ方式は、地上波デジタルテレビジョン放送等に用
いられている。ＯＦＤＭ方式では、多数のサブキャリアを用いてデータを送信する。以下
、デジタル放送信号の送受信を例にとって説明する。
【００２７】
ＯＦＤＭ方式に従う送信装置は、１チャンネルの帯域で多数のサブキャリアを用いてデ
ータを送信する。送信装置は、まず、アナログ信号をデジタル信号に変換し、ＭＰＥＧ（
Moving Picture Experts Group）方式に従ってデータ圧縮を行う。送信装置は、伝送路に
おける電波の反射、ノイズ、フェージング等に起因して発生する誤りを分散させるために
、即ち、誤り耐性を向上させるために、圧縮されたデータに対してバイトインタリーブ、
ビットインタリーブ等を施す。又、送信装置は、データに対して、畳み込み符号化やＲＳ
（Reed  Solomon：リードソロモン）符号化を施す。そして、送信装置は、ＱＰＳＫ（Qua
drature Phase Shift Keying）方式、１６ＱＡＭ（Quadrature Amplitude Modulation）
方式等の変調方式を用いてデジタル信号を変調する。
【００２８】
送信装置は、伝送路における電波の反射、ノイズ、フェージング等に起因して発生する
誤りを分散させるために、即ち、誤り耐性を向上させるために、変調後のデジタル信号に
対して時間インタリーブや周波数インタリーブ等を施す。周波数インタリーブは、特定周
波数信号の欠落を補うために行う。そして、送信装置は、デジタル信号を逆高速フーリエ
変換（Inverse  Fast  Fourier  Transform、以下「ＩＦＦＴ」表す）し、直交変調を行
う。最後に、送信装置は、変調後のデジタル信号をアナログ信号に変換し、周波数をＲＦ
（Radio  Frequency）に変換し、デジタル放送信号として、受信装置１に送信する。
【００２９】
地上波デジタル放送では、帯域を複数のセグメントに分割し、デジタル放送信号を送信
する。具体的には、６ＭＨｚの帯域が１３セグメントに分割される。中央の１セグメント
は、１セグメントだけでデジタル放送信号の受信が可能となっており、これにより、１セ
グメント放送（部分受信放送）ができる。１セグメント放送は、移動端末向けの放送等に
利用される。受信装置１は、このようなＯＦＤＭ方式に従って送信されたデジタル放送信
号等を受信する。
【００３０】
受信装置１は、ＲＦ受信信号からベースバンド信号に、ＩＦ（Intermediate  Frequenc
y）信号を介さずに、直接、周波数変換するダイレクトコンバージョン方式によって、周
波数変換を行う。又、受信装置１は、１セグメント放送によるデジタル放送信号を受信す
る。尚、受信装置１は、全セグメントのデジタル放送信号を受信する場合には、受信する
帯域が１３セグメント分になり、処理するデジタル放送信号が１３セグメント分になるだ
けで、ほぼ同様に受信ができる。
【００３１】
受信装置１は、図１に示すように、周波数変換器１００と、復調器２００と、デコーダ
３００と、判定部４００と、アンテナ５００と、バンドパスフィルタ（Band  Pass  Filt
er：ＢＰＦ）６００と、映像／音声出力部７００とを備える。
【００３２】
アンテナ５００は、送信装置からのデジタル放送信号としてＲＦ信号を受信する。アン
テナ５００は、受信したＲＦ受信信号をバンドパスフィルタ６００に入力する。
【００３３】
バンドパスフィルタ６００は、アンテナ５００から入力されるＲＦ信号のうち、地上波
デジタル放送帯域及びアナログ放送放送帯域の信号のみを通過させ、地上波デジタル放送
帯域及びアナログ放送帯域以外の妨害信号を除去する。地上波デジタル放送帯域及びアナ
ログ放送帯域は、１３〜６２チャンネルのＵＨＦ帯域である。バンドパスフィルタ６００
は、除去後のＲＦ受信信号を周波数変換器１００に入力する。
【００３４】
周波数変換器１００は、ダイレクトコンバージョン方式により、ＲＦ受信信号をベース
バンド信号に変換する。周波数変換器１００は、ＬＮＡ（Low Noise Amplifier）１０１
と、複数のスイッチ１０２，１１６，１１７と、複数のＧＣＡ（Gain Control Amplifier
）１０３，１０５と、電力検出部１０４と、複数のミキサ１０６，１０７と、９０度位相
器１０８と、局部信号発振器１０９と、複数のＬＰＦ（Low  Pass  Filter）１１０，１
１１と、複数の増幅器１１２〜１１５とを備える。
【００３５】
周波数変換器１００は、非希望信号の電力が通常値の場合にＲＦ受信信号を処理する信
号処理系統（以下「通常時系統」という）と、非希望信号の電力が希望信号の電力よりも
大幅に大きい場合にＲＦ受信信号を処理する信号処理系統（以下「劣化時系統」という）
の２つの信号処理系統を持つ。
【００３６】
まず、通常時系統における周波数変換器１００の処理の流れを説明する。通常時系統で
は、図１に示すように、スイッチ１０２が、ＬＮＡ１０１からの出力をＧＣＡ１０３に入
力させる状態となっており、スイッチ１１６，１１７が、増幅器１１２，１１３からの出
力を増幅器１１４，１１５を介さずに復調器２００に入力させる状態になっている。
【００３７】
ＬＮＡ１０１は、バンドパスフィルタ６００から入力されたＲＦ受信信号を増幅する。
ＲＦ受信信号は、希望信号と非希望信号を含む。このように、ＬＮＡ１０１は、受信装置
１の初期段階に設けられ、希望信号と非希望信号を含むＲＦ受信信号を増幅する。ＬＮＡ
１０１は、雑音指数（ＮＦ：Noise Figure）が低い低雑音増幅器である。ＬＮＡ１０１は
、受信信号のＣ／Ｎ比（Carrier  to  Noise  Ratio：キャリア対ノイズの比）を決定付
ける重要な増幅器である。雑音指数が高いと、ＲＦ受信信号の電力が小さい（電界強度が
低い）場合に、十分なＣ／Ｎ比が得られず、必要な希望信号を得ることができない。ＬＮ
Ａ１０１は、増幅後のＲＦ受信信号をスイッチ１０２を介してＧＣＡ１０３に入力する。
【００３８】
ＧＣＡ１０３，１０５は、ゲイン制御信号増幅器である。ＧＣＡ１０３は、ＬＮＡ１０
１から入力されたＲＦ受信信号を規定電力まで増幅する。ＧＣＡ１０３は、ＲＦ受信信号
の電力が一定の電力となるように増幅する。規定電力は、ミキサ１０６，１０７の歪み特
性とＧＣＡ１０３の雑音指数（ＮＦ）に基づいて規定できる。ＧＣＡ１０３は、電力検出
部１０４から入力される、ＧＣＡ１０３の増幅を制御する増幅制御信号に従って増幅を行
う。ＧＣＡ１０３は、増幅後のＲＦ受信信号をＧＣＡ１０５に入力する。尚、ＧＣＡ１０
３の増幅量は有限であり、規定電力に達しない場合は、次段のＧＣＡ１０５で補償される
。
【００３９】
電力検出部１０４は、ＧＣＡ１０３から出力されるＲＦ受信信号の電力を検出する。電
力検出部１０４は、検出したＲＦ受信信号の電力を判定部４００に入力する。又、電力検
出部１０４は、検出したＲＦ受信信号の電力と、ＧＣＡ１０３の規定電力に基づいて、Ｇ
ＣＡ１０３の増幅を制御する増幅制御信号を生成し、ＧＣＡ１０３に入力する。
【００４０】
ＧＣＡ１０５は、ＧＣＡ１０３から入力されたＲＦ受信信号を規定電力まで増幅する。
ＧＣＡ１０５は、ＲＦ受信信号に含まれる希望信号が一定の電力となるように増幅する。
規定電力は、ミキサ１０６，１０７の歪み特性とＧＣＡ１０５の雑音指数（ＮＦ）に基づ
いて規定できる。ＧＣＡ１０５は、復調器２００から入力される、ＧＣＡ１０５の増幅を
制御する増幅制御信号に従って増幅を行う。ＧＣＡ１０５は、増幅後のＲＦ受信信号をミ
キサ１０６，１０７に入力する。
【００４１】
局部信号発振器１０９は、局部発振信号を生成し、ミキサ１０６，１０７に入力する。
局部信号発振器１０９は、チャンネルの選局に応じた局部発振信号を生成する。局部信号
発振器１０９は、選局したチャンネルの希望周波数中心が直流になるような局部発振信号
を生成する。局部信号発振器１０９は、１つのミキサ１０６には直接、局部発振信号を入
力し、他方のミキサ１０７には、９０度位相器１０８を介して局部発振信号を入力する。
９０度位相器１０８は、局部信号発振器１０９からの局部発振信号の位相を９０度回転さ
せて、ミキサ１０７に入力する。
【００４２】
ミキサ１０６，１０７は、ＲＦ受信信号をベースバンド信号に変換する周波数変換部で
ある。ミキサ１０６は、局部信号発振器１０９から入力された局部発振信号を用いて、Ｒ
Ｆ受信信号の周波数（ＲＦ）をベースバンド信号の周波数に変換（ダウンコンバート）す
る。ミキサ１０７は、９０度位相器１０８により位相が回転された局部発振信号を用いて
、ＲＦ受信信号の周波数（ＲＦ）をベースバンド信号の周波数に変換（ダウンコンバート
）する。これにより、ベースバンド信号のＩ軸成分（実軸成分）とＱ軸成分（虚軸成分）
を得ることができる。ミキサ１０６，１０７は、変換後のベースバンド信号をＬＰＦ１１
０，１１１にそれぞれ入力する。
【００４３】
ＬＰＦ１１０，１１１は、ミキサ１０６，１０７（周波数変換部）からの出力信号から
希望信号を抽出する抽出部である。ＬＰＦ１１０，１１１は、ミキサ１０６，１０７から
入力されるベースバンド信号のうち、希望信号だけを通過させ、非希望信号を除去する。
ここで、希望信号とは、選局されたチャンネルのデジタル放送信号のうちの、中央の１セ
グメント分の放送信号のことである。ＬＰＦ１１０，１１１は、非希望信号除去後の希望
信号を、増幅器１１２，１１３に入力する。
【００４４】
このように、ＬＰＦ１１０，１１１においてＲＦ受信信号から希望信号だけが取り出さ
れる。そのため、ＬＰＦ１１０，１１１よりも前段に設けられているＬＮＡ１０１、ＧＣ
Ａ１０３、ＧＣＡ１０５は、希望信号と非希望信号を含むＲＦ受信信号を増幅する第１増
幅器となる。一方、ＬＰＦ１１０，１１１よりも後段に設けられている増幅器１１２〜１
１５は、ＬＰＦ１１０，１１１により抽出された希望信号だけを増幅する第２増幅器とな
る。
【００４５】
増幅器１１２，１１３は、ＬＰＦ１１０，１１１から入力されたベースバンド信号（ベ
ースバンド周波数の希望信号）を増幅する。増幅器１１２，１１３は、増幅後の希望信号
をスイッチ１１６，１１７を介して復調器２００に入力する。
【００４６】
次に、劣化時系統における周波数変換器１００の処理の流れを説明する。劣化時系統で
は、スイッチ１０２が、バンドパスフィルタ６００から入力されるＲＦ受信信号を、ＬＮ
Ａ１０１を介さずに、ＧＣＡ１０３に入力させる状態になっており、スイッチ１１６，１
１７が、増幅器１１２，１１３からの出力を増幅器１１４，１１５を介して復調器２００
に入力させる状態になっている。即ち、スイッチ１０２，１１６，１１７の位置は、図１
に示す位置と反対の位置になっている。
【００４７】
そのため、ＧＣＡ１０３は、バンドパスフィルタ６００から入力されるＲＦ受信信号を
増幅する。又、増幅器１１４，１１５は、増幅器１１２，１１３から入力される希望信号
を増幅し、スイッチ１１６，１１７を介して復調器２００に入力する。
【００４８】
このように、通常時系統では、第１増幅器であるＬＮＡ１０１におけるＲＦ受信信号に
対する十分な増幅が施され、第２増幅器である増幅器１１４，１１５における増幅が施さ
れていない信号を得る。劣化時系統では、第１増幅器であるＬＮＡ１０１における増幅が
施されておらず、第２増幅器である増幅器１１４，１１５における希望信号に対する十分
な増幅が施された信号を得る。
【００４９】
復調器２００は、希望信号を復調する。復調器２００は、複数のアナログ／デジタル変
換部２０１，２０２と、電力検出部２０３と、ＦＦＴ処理部２０４と、周波数デインタリ
ーブ処理部２０５と、時間デインタリーブ処理部２０６と、デマッピング処理部２０７と
、ビットデインタリーブ処理部２０８と、ビタビ復号部２０９と、バイトデインタリーブ
処理部２１０と、ＲＳ（リードソロモン）復号部２１１とを備える。
【００５０】
アナログ／デジタル変換部２０１，２０２は、周波数変換器１００から入力されたアナ
ログ信号である希望信号をデジタル信号に変換する。アナログ／デジタル変換部２０１，
２０２は、変換後のデジタル信号をＦＦＴ処理部２０４に入力する。
【００５１】
電力検出部２０３は、アナログ／デジタル変換部２０１，２０２から出力されるデジタ
ル信号に変換された希望信号の電力を検出する。電力検出部２０３は、検出した希望信号
の電力を判定部４００に入力する。又、電力検出部２０３は、検出した希望信号の電力と
、ＧＣＡ１０５の規定電力に基づいて、ＧＣＡ１０５の増幅を制御する増幅制御信号を生
成し、ＧＣＡ１０５に入力する。
【００５２】
ＦＦＴ処理部２０４は、デジタル信号となった希望信号を高速フーリエ変換（Fast  Fo
urier  Transform、以下「ＦＦＴ」と表す）する。ＦＦＴにより、時間軸に沿った希望信
号が周波数軸に沿った希望信号に変換される。ＦＦＴ処理部２０４は、ＦＦＴ後の周波数
軸の希望信号を周波数デインタリーブ処理部２０５に入力する。
【００５３】
周波数デインタリーブ処理部２０５は、入力された希望信号に対して、周波数デインタ
リーブを施す。周波数デインタリーブは、周波数軸方向に並び替えられた信号を元の状態
に並び替えて戻す処理である。周波数デインタリーブ処理部２０５は、周波数デインタリ
ーブ後の希望信号を時間デインタリーブ処理部２０６に入力する。
【００５４】
時間デインタリーブ処理部２０６は、入力された希望信号に対して、時間デインタリー
ブを施す。時間デインタリーブは、時間軸方向に並び替えられた信号を元の状態に並び替
えて戻す処理である。時間デインタリーブ処理部２０６は、時間デインタリーブ後の希望
信号をデマッピング処理部２０７に入力する。
【００５５】
デマッピング処理部２０７は、入力された希望信号を変調方式に応じてデータ変換する
。デマッピング処理部２０７は、例えば、ＱＰＳＫ方式で復調されたＩ軸信号、Ｑ軸信号
を２ビットのデータに変換する。又、デマッピング処理部２０７は、１６ＱＡＭ方式で復
調されたＩ軸信号、Ｑ軸信号を４ビットのデータに変換する。デマッピング処理部２０７
は、変換後のデータをビットデインタリーブ処理部２０８に入力する。
【００５６】
ビットデインタリーブ処理部２０８は、入力されたデータに対して、ビット単位で並び
替えられたデータを元の状態に並び替えて戻すビットデインタリーブを施す。ビットデイ
ンタリーブ処理部２０８は、ビットデインタリーブ後のデータをビタビ復号部２０９に入
力する。
【００５７】
ビタビ復号部２０９は、送信装置により畳み込み符号化されたデータを、畳み込み符号
を用いて誤り訂正復号する。ビタビ復号部２０９は、誤り訂正復号後のデータをバイトデ
インタリーブ処理部２１０に入力する。
【００５８】
バイトデインタリーブ処理部２１０は、入力されたデータに対して、バイト単位で並び
替えられたデータを元の状態に並び替えて戻すバイトデインタリーブを施す。バイトデイ
ンタリーブ処理部２１０は、バイトデインタリーブ後のデータをＲＳ復号部２１１に入力
する。
【００５９】
ＲＳ復号部２１１は、送信装置によりＲＳ符号化されたデータを、ＲＳ符号を用いてバ
イト誤り訂正復号する。ＲＳ復号部２１１は、誤り訂正復号後のデータをデコーダ３００
に入力する。
【００６０】
デコーダ３００は、希望信号を復調して得られたデータをデコードし、映像データや音
声データとして出力する。デコーダ３００は、ＭＰＥＧデコード処理部３０１と、デジタ
ル／アナログ変換部３０２とを備える。
【００６１】
ＭＰＥＧデコード処理部３０１は、復調器２００から入力された圧縮された状態のデー
タを伸長し、デジタル／アナログ変換部３０２に入力する。デジタル／アナログ変換部３
０２は、入力されたデジタルデータをアナログ映像データやアナログ音声データに変換し
、映像／音声出力部７００に出力する。
【００６２】
判定部４００は、希望信号と非希望信号の電力の関係を判定し、その判定結果に基づい
てスイッチ１０２，１１６，１１７に対する切り替え制御信号を生成する。
【００６３】
判定部４００は、希望信号と非希望信号の電力の関係として、希望信号の電力の非希望
信号の電力に対する比（Desire／Undesire比、以下「Ｄ／Ｕ比」と表す）、希望信号と非
希望信号の両方を含むＲＦ受信信号の電力と、希望信号の電力との差（以下「電力差」と
いう）等を求めることができる。
【００６４】
判定部４００は、希望信号と非希望信号を含むＲＦ受信信号の電力と希望信号の電力を
用いて、判定を行うことができる。具体的には、判定部４００は、電力検出部１０４から
ＲＦ受信信号の電力を取得する。ＲＦ受信信号は、ＬＰＦ１１０，１１１よる処理前の状
態であり、希望信号と非希望信号を含む。又、このＲＦ受信信号の電力は、第１増幅器で
あるＬＮＡ１０１と周波数変換部であるミキサ１０６，１０７との間のＲＦ受信信号の電
力である。
【００６５】
更に、判定部４００は、電力検出部２０３から希望信号の電力を取得する。希望信号は
、ミキサ１０６，１０７、ＬＰＦ１１０，１１１，増幅器１１２，１１３による処理後の
状態であり、希望信号だけとなったベースバンド周波数の信号である。又、この希望信号
の電力は、第２増幅器である増幅器１１４，１１５よりも後段の希望信号の電力である。
【００６６】
判定部４００は、取得したＲＦ受信信号の電力と希望信号の電力との電力差を求めるこ
とができる。更に、求めた電力差が非希望信号の電力に相当するため、判定部４００は、
取得した希望信号の電力と、求めた非希望信号の電力とを用いてＤ／Ｕ比を求めることが
できる。
【００６７】
このように、ＲＦ受信信号の電力及び希望信号の電力を用いる場合、受信装置１は、Ｒ
Ｆ受信信号から希望信号を得る過程における信号を用いて、希望信号と非希望信号の電力
の関係を容易に判定できる。
【００６８】
又、判定部４００は、希望信号と非希望信号を含むＲＦ受信信号に基づいて生成された
増幅制御信号と、希望信号に基づいて生成された増幅制御信号を用いて、判定を行うこと
もできる。この場合、判定部４００は、電力検出部１０４から、ＲＦ受信信号の電力とＧ
ＣＡ１０３の規定電力に基づいて生成された、ＧＣＡ１０３の増幅を制御する増幅制御信
号を取得する。更に、判定部４００は、電力検出部２０３から、希望信号の電力とＧＣＡ
１０５の規定電力に基づいて生成された、ＧＣＡ１０５の増幅を制御する増幅制御信号を
取得する。
【００６９】
このように増幅制御信号は、ＲＦ受信信号や希望信号の電力に基づいて生成されるため
、各信号の電力に応じて決まり、各信号の電力の状況を示す。例えば、ＧＣＡ１０３は、
希望信号と非希望信号を含むＲＦ受信信号の電力を一定の規定電力となるように増幅する
。非希望信号の電力が希望信号の電力に比べて極端に大きい場合、ＲＦ受信信号の電力も
大きくなる。そのため、ＧＣＡ１０３に対する増幅制御信号は、小さい増幅を示す。一方
、ＧＣＡ１０３で十分増幅されない結果、希望信号の電力は小さいままとなるため、ＧＣ
Ａ１０５に対する希望信号に基づいた増幅制御信号は、非常に大きい増幅を示す。そのた
め、判定部４００は、取得したＲＦ受信信号に基づく増幅制御信号と希望信号に基づく増
幅制御信号から、Ｄ／Ｕ比や電力差を判定することができる。
【００７０】
判定部４００は、希望信号と非希望信号の電力の関係の判定結果に基づいてスイッチ１
０２，１１６，１１７を制御する。判定部４００は、Ｄ／Ｕ比の閾値（以下「Ｄ／Ｕ比閾
値」という）や、電力差の閾値（以下「電力差閾値」という）を予め保持する。
【００７１】
Ｄ／Ｕ比を用いる場合、判定部４００は、判定したＤ／Ｕ比がＤ／Ｕ比閾値よりも大き
い場合には、通常時系統を用いると判断する。判定部４００は、判定したＤ／Ｕ比がＤ／
Ｕ比閾値以下の場合には、劣化時系統を用いると判断する。電力差を用いる場合、判定部
４００は、判定した電力差が電力差閾値よりも小さい場合には、通常時系統を用いると判
断する。判定部４００は、判定した電力差が電力差閾値以上の場合には、劣化時系統を用
いると判断する。
【００７２】
例えば、デジタルテレビジョン放送とアナログテレビジョン放送との混在放送が行われ
る場合、受信装置１は、図２に示すように、デジタル放送信号とアナログ放送信号を受信
する。図２において、縦軸は電力、横軸は周波数を示す。受信装置１が、デジタルテレビ
ジョン放送によるＤＴＶ１３ｃｈ〜ＤＴＶ１８ｃｈのデジタル放送信号と、アナログテレ
ビジョン放送によるＡＴＶ２２ｃｈ，ＡＴＶ２４ｃｈのアナログ放送信号を受信する。
【００７３】
このとき、図２（ａ）に示すように、希望信号がユーザにより選局されたチャンネル（
例えば、１８ｃｈとする）のデジタル放送信号である受信装置１が受信するアナログ放送
信号（非希望信号の一例）の電力が、選局されたチャンネル（１８ｃｈ）のデジタル放送
信号の電力に比べて問題にならない通常値の場合と、図２（ｂ）に示すように、アナログ
放送信号が選局されたチャンネル（１８ｃｈ）のデジタル放送信号の電力に比べて大幅に
高くなってしまう場合がある。そのため、図２（ａ）におけるＤ／Ｕ比に比べて、（ｂ）
におけるＤ／Ｕ比は非常に低くなってしまう。又、図２（ａ）における電力差に比べて、
（ｂ）における電力差は非常に大きくなってしまう。判定部４００は、図２（ａ）の状態
では、通常時系統を用いると判断し、図２（ｂ）の状態では、劣化時系統を用いると判断
する。
【００７４】
更に、判定部４００は、希望信号と非希望信号の両方を含むＲＦ受信信号の電力を判断
基準に加えてもよい。この場合、判定部４００は、ＲＦ受信信号の電力の閾値（以下「電
力閾値」という）を予め保持する。
【００７５】
そして、Ｄ／Ｕ比を用いる場合、判定部４００は、判定したＤ／Ｕ比がＤ／Ｕ比閾値以
下であり、かつ、ＲＦ受信信号の電力が電力閾値以上の場合に、劣化時系統を用いると判
断できる。電力差を用いる場合、判定部４００は、判定した電力差が電力差閾値以上であ
り、かつ、ＲＦ受信信号の電力が電力閾値以上の場合に、劣化時系統を用いると判断でき
る。
【００７６】
これによれば、非希望信号の電力が非常に大きいために、希望信号と非希望信号の両方
を含むＲＦ受信信号の電力も大きくなっている状況、即ち、非希望信号による妨害が非常
に大きい状況においてだけ、劣化時系統を用いるようにできる。そのため、できるだけ通
常時系統を用いた通常値の場合の処理を行うようにできる。
【００７７】
判定部４００は、使用系統の判断結果に基づいて、スイッチ１０２，１１６，１１７に
入力する切り替え制御信号を生成する。判定部４００は、通常時系統を用いると判断した
場合には、スイッチ１０２に対してＬＮＡ１０１からの出力をＧＣＡ１０３に入力するよ
うに指示する切り替え制御信号を生成し、スイッチ１０２入力する。更に、判定部４００
は、スイッチ１１６，１１７に対して、増幅器１１２，１１３からの出力を復調器２００
に入力するように指示する切り替え制御信号を生成し、スイッチ１１６，１１７に入力す
る。
【００７８】
一方、判定部４００は、劣化時系統を用いると判断した場合には、スイッチ１０２に対
して、ＬＮＡ１０１をバイパスしたバンドパスフィルタ６００からのＲＦ受信信号をＧＣ
Ａ１０３に入力するように指示する切り替え制御信号を生成し、スイッチ１０２入力する
。更に、判定部４００は、スイッチ１１６，１１７に対して、増幅器１１４，１１５から
の出力を復調器２００に入力するように指示する切り替え制御信号を生成し、スイッチ１
１６，１１７に入力する。
【００７９】
スイッチ１０２，１１６，１１７は、判定部４００からの切り替え制御信号に従って、
ＲＦ受信信号や希望信号が通る経路を切り替える。このようにして、スイッチ１０２，１
１６，１１７は、切り替え制御信号に応じて、第１増幅器であるＬＮＡ１０１の使用と第
２増幅器である増幅器１１４，１１５の使用とを切り替える切り替え部として機能する。
【００８０】
そして、判定部４００と、スイッチ１０２，１１６，１１７は、希望信号と非希望信号
の電力の関係の判定を行い、その判定結果に基づいて第１増幅器による増幅と第２増幅器
による増幅の切り替え、即ち、通常時系統と劣化時系統の切り替えを行う制御部として機
能する。
【００８１】
特に、判定部４００と、スイッチ１０２，１１６，１１７は、ＲＦ受信信号の電力の希
望信号の電力に対する差が所定値以上の場合、第２増幅器である増幅器１１４，１１５を
使用し、第１増幅器であるＬＮＡ１０１を使用しないよう制御し、ＲＦ受信信号の電力の
希望信号の電力に対する差が所定値未満の場合、第１増幅器であるＬＮＡ１０１を使用し
、第２増幅器である増幅器１１４，１１５を使用しないよう制御することが好ましい。
【００８２】
このようにして、非希望信号の電力が通常値の場合には、通常時系統を用い、第１増幅
器であるＬＮＡ１０１による増幅を十分行う。そのため、第２増幅器である増幅器１１４
，１１５による増幅は省略する。
【００８３】
一方、非希望信号の電力が希望信号の電力に比べて非常に高い状況では、一般に、希望
信号と非希望信号を合わせたＲＦ受信信号が大きい。そのため、ＬＮＡ１０１における増
幅は小さくなる。その結果、ＲＦ受信信号から取り出された希望信号の電力が極端に小さ
くなってしまう場合がある。よって、ＬＮＡ１０１、ＧＣＡ１０３，１０５、ミキサ１０
６，１０７に固有のノイズの影響を大きく受けてしまう。
【００８４】
更に、ＬＮＡ１０１では、希望信号だけでなく、非希望信号も増幅してしまい、非希望
信号の影響が大きくなる。又、ＧＣＡ１０５は、希望信号の電力が一定の規定電力となる
ように増幅を行う。希望信号の電力が極端に小さい場合、大きな増幅が行われ、非希望信
号の電力が極端に大きくなってしまう。その結果、ＧＣＡ１０５においてＲＦ受信信号に
歪みが発生する。
【００８５】
ダイレクトコンバージョン方式では、シングルコンバージョン方式やダブルコンバージ
ョン方式のように、ＳＡＷフィルタにより非希望信号が除去されてミキサに入力されるの
ではなく、ミキサ１０６，１０７にＲＦ受信信号が入力される。そのため、歪みの大きい
ＲＦ受信信号がミキサ１０６，１０７に入力されてしまい、ミキサ１０６，１０７は適切
に周波数変換ができない。その結果、得られる希望信号に非希望信号の２次、３次歪み成
分が影響してしまい、希望信号のＣ／Ｎ比が劣化し、必要な希望信号が適切に得られない
おそれがある。
【００８６】
そのため、この場合には、劣化時系統を用いる。劣化時系統では、初段のＬＮＡ１０１
による増幅をバイパスして使用しない。しかも、バイパスした分の増幅不足を、増幅器１
１４，１１５による希望信号に対する増幅で補う。そのため、非希望信号も含むＲＦ受信
信号の状態における増幅を抑え、希望信号だけとなった後の増幅により、十分な希望信号
の電力が得られる。このように、劣化時系統は、非希望信号の電力が希望信号の電力に比
べて非常に高い状況に強い構成となっている。
【００８７】
尚、第１増幅器、第２増幅器は複数あるが、少なくとも１つの第１増幅器による増幅と
、少なくとも１つの第２増幅器による増幅とを切り替えればよい。よって、図１に示すよ
うに、ＬＮＡ１０１による増幅と増幅器１１４，１１５による増幅とを切り替えてもよく
、例えば、ＧＣＡ１０３による増幅と増幅器１１２，１１３による増幅とを切り替えても
よい。更に、複数の第１増幅器、ＬＮＡ１０１とＧＣＡ１０３による増幅と、増幅器１１
４，１１５による増幅とを切り替えてもよい。尚、劣化時系統の場合に増幅を省略する第
１増幅器としては、ＬＮＡ１０１や、信号の歪みを生じさせるような増幅器が好ましい。
【００８８】
更に、判定部４００は、ＬＮＡ１０１と増幅器１１４，１１５を、切り替えにより使用
しない間、スタンバイ状態、又は、電源をオフとすることが好ましい。判定部４００は、
ＬＮＡ１０１と増幅器１１４，１１５のうち、切り替えにより使用しない方に、スタンバ
イ状態、又は、電源をオフとすることを指示する制御信号を生成し、入力する。ＬＮＡ１
０１と増幅器１１４，１１５は、判定部４００からの制御信号に従って、スタンバイ状態
に移行したり、電源をオフとしたりする。これによれば、受信装置１は省電力化を図るこ
とが可能となる。
【００８９】
判定部４００及びスイッチ１０２，１１６，１１７は、受信装置１起動時、放送信号の
受信チャンネル切り替え時、又は、ＲＦ受信信号を変換して出力するデータに誤りが発生
した時の少なくとも１つにおいて切り替えを行うことが好ましい。
【００９０】
これによれば、受信装置１は、切り替えによる信号の不連続の影響が少ないタイミング
で、切り替えを行うことができる。スイッチ１０２，１１６，１１７を切り替えると、信
号の不連続が生じる。信号の不連続が生じると、復調処理に乱れが生じ、映像／音声出力
部７００に出力される映像データや音声データにも乱れが生じてしまう。受信装置１起動
時、放送信号の受信チャンネル切り替え時、又は、受信信号を変換して出力するデータに
誤りが発生した時に切り替えることにより、視聴者に違和感を与えることなく、切り替え
を行うことができる。
【００９１】
例えば、通常時系統において非希望信号が大きくなり、Ｄ／Ｕ比が低下すると、デコー
ダ３００から映像／音声出力部７００に出力される映像データや音声データに、誤り（エ
ラー）が発生し、視聴者が閲覧している画像や音声に乱れが生じる。このタイミングで劣
化時系統への切り替えを行えば、誤りが発生していないときに切り替えを行って、画像や
音声の乱れを発生してしまう事態を回避できる。
【００９２】
図３に起動時における受信装置１の動作手順を示す。受信装置１が起動された時（電源
がオンにされた時）（Ｓ１０１）、判定部４００は、一旦、通常時系統の場合の切り替え
制御信号を生成し、スイッチ１０２，１１６，１１７に入力する。スイッチ１０２，１１
６，１１７は、通常時系統の位置に設定する（Ｓ１０２）。
【００９３】
判定部４００は、希望信号と非希望信号の電力の関係を判定する（Ｓ１０３）。判定部
４００は、希望信号と非希望信号の電力の関係の判定結果に基づいて、使用する系統を判
断する（Ｓ１０４）。判定部４００は、劣化時系統を用いると判断した場合には、劣化時
系統の場合の切り替え制御信号を生成し、スイッチ１０２，１１６，１１７に入力する。
スイッチ１０２，１１６，１１７は、劣化時系統の位置に切り替える（Ｓ１０５）。一方
、判定部４００は、通常時系統を用いると判断した場合には切り替えは行わない。このよ
うにして、起動時に切り替えが行われ、使用する系統が決定される。
【００９４】
図４に、起動後、受信中における受信装置１の動作手順を示す。受信装置１が通常時系
統を使用している状態から説明する。アンテナ５００が受信したＲＦ信号は、周波数変換
器１００、復調器２００、デコーダ３００により変換されて、映像／音声出力部７００に
映像データや音声データとして出力される。判定部４００は、ＲＳ復号部２１１から出力
される誤り訂正情報を用いて、誤り（エラー）が発生しているか否かを判断する（Ｓ２０
１）。このようにして判定部４００は、データの誤り発生を監視する。
【００９５】
判定部４００は、データに誤りが発生していると判断した場合には、希望信号と非希望
信号の電力の関係を判定する（Ｓ２０３）。判定部４００は、希望信号と非希望信号の電
力の関係の判定結果に基づいて、使用する系統を判断する（Ｓ２０４）。判定部４００は
、劣化時系統を用いると判断した場合には、劣化時系統の場合の切り替え制御信号を生成
し、スイッチ１０２，１１６，１１７に入力する。スイッチ１０２，１１６，１１７は、
劣化時系統の位置に切り替える（Ｓ２０５）。
【００９６】
一方、判定部４００は、通常時系統を用いると判断した場合には、通常時系統の場合の
切り替え制御信号を生成し、スイッチ１０２，１１６，１１７に入力する。スイッチ１０
２，１１６，１１７は、通常時系統の位置に設定を維持する（Ｓ２０６）。
【００９７】
又、ステップ（Ｓ２０１）において、判定部４００は、データの誤りが発生していない
と判断した場合であっても、受信チャンネルの切り替えを監視する（Ｓ２０２）。判定部
４００は、受信チャンネルの切り替えを検出した場合も、ステップ（Ｓ２０３）に進み、
希望信号と非希望信号の電力の関係の判定（Ｓ２０３）、使用系統の判断（Ｓ２０４）、
切り替え制御信号の生成（Ｓ２０５），（Ｓ２０６）を行う。
【００９８】
判定部４００は、受信チャンネルの切り替え時に、使用系統の切り替えを判断する場合
には、受信チャンネル切り替え前のチャネルにおいて受信し、判定していた希望信号と非
希望信号の電力の関係を用いて、使用系統の判断、切り替え制御信号の生成を行うことが
好ましい。即ち、ステップ（Ｓ２０２）による受信チャンネル切り替えの検出よりも以前
に、切り替え前のチャンネル受信中にステップ（Ｓ２０３）を行っておく。これによれば
、切り替え時に、希望信号と非希望信号の電力の関係の判定を省略でき、使用系統の切り
替え時間を短縮でき、ひいてはチャンネル切り替えの時間を短縮できる。アナログ放送信
号が非希望信号の場合、デジタル放送信号のチャンネル間で受信チャンネルを変更しても
、非希望信号の電力の関係はほとんど変化しない。そのため、切り替え前のチャネルにお
ける判定を利用しても、適切に切り替えを行うことができる。
【００９９】
このような受信装置１によれば、希望信号と非希望信号の電力の関係に応じて適切な増
幅ができるように、第１増幅器であるＬＮＡ１０１による増幅と第２増幅器である増幅器
１１４，１１５による増幅を切り替えることができる。
【０１００】
具体的には、受信装置１は、通常時系統と劣化時系統の２系統の構成を備え、判定部４
００によって希望信号と非希望信号の電力の関係を把握する。そして、受信装置１は、判
定部４００とスイッチ１０２，１１６，１１７によって使用系統の切り替えを行い、希望
信号と非希望信号の関係が通常の場合には、周波数変換器１００の初期段階で十分に増幅
を行い、非希望信号が極端に大きい場合には、周波数変換器１００の初期段階での増幅を
抑え、ベースバンド周波数の希望信号だけとなった後に、十分に増幅を行う。
【０１０１】
よって、ＳＡＷフィルタを備えずに、ＲＦ受信信号が直接ミキサ１０６，１０７に入力
されるダイレクトコンバージョン方式を採用する受信装置１において、非希望信号の電力
が大きい場合であっても、ミキサ１０６，１０７に入力されるＲＦ受信信号の歪みを抑え
ることができる。その結果、受信装置１は、必要な希望信号を適切に得ることができる。
【０１０２】
しかも、特別な増幅器を設けるがなく、ＳＡＷフィルタも用いないため、消費電力の増
大を招くこともない。具体的には、非希望信号の電力が希望信号の電力よりも大幅に大き
い場合であっても、通常値の場合であっても、必要な希望信号を得ることが可能な増幅器
を設けた場合には、即ち、１系統の回路構成でどのような状況でも受信可能な増幅器を設
けた場合には、増幅器の線形性（リニアリティ）と低い雑音指数（ＮＦ：Noise  Figure
）を確保するために、高い電源電圧が必要となり、消費電力が増大してしまう。又、ＧＣ
Ａ１０３，１０５、ミキサ１０６，１０７における歪みを改善するために、電源電圧を高
くしたり、十分に大きな電流を流したりした場合にも、消費電力が増大してしまう。受信
装置１によれば、このような電源電圧の高圧化や消費電力の増大を招くことがない。
【０１０３】
このような受信装置１は、主に電池により駆動されるため電源電圧の制限があり、低消
費電力を要求される、固定受信と異なって受信場所が変動する、小型・低消費電力のため
にＳＡＷフィルタ等を用いないため妨害信号に弱いといった特徴を持つ移動端末等の携帯
型の受信装置に、特に適している。そのため、例えば、受信装置１は、１セグメント放送
を受信する携帯型の受信装置に利用できる。
〔変更例〕
本発明は、上記実施形態に限定されず、種々の変更が可能である。例えば、図５に示す
ようなＲＦ受信信号から、ベースバンド信号ではなく、低中間周波数信号（Ｌｏｗ−Inte
rmediate  Frequency信号、以下「Low−ＩＦ信号」という）に周波数変換する低ＩＦ方式
（Low−IF方式）によって周波数変換を行う受信装置１ａを用いることができる。図５で
は、図１に示した受信装置１と同様の構成については同一の符号を付して説明を省略する
。
【０１０４】
受信装置１ａは、周波数変換器１００ａと、復調器２００ａと、デコーダ３００と、判
定部４００と、アンテナ５００と、バンドパスフィルタ６００と、映像／音声出力部７０
０とを備える。
【０１０５】
周波数変換器１００ａは、ＬＮＡ１０１と、複数のスイッチ１０２，１１６と、複数の
ＧＣＡ１０３，１０５と、電力検出部１０４と、ミキサと、局部信号発振器１０９と、多
相フィルタ（Poly  Phase  Filter）１１０ａと、増幅器１１２，１１４とを備える。こ
のように、低ＩＦ方式の周波数変換器１００ａは、ダイレクトコンバージョン方式の周波
数変換器１００と、ＧＣＡ１０５以降が分岐せずに、ミキサ１０６、増幅器１１２，１１
４の１系統になっており、ＬＰＦ１１０が多相フィルタ１１０ａになっており、９０度位
相器１０８を備えていない点が異なっており、他の構成は実質的に同様である。
【０１０６】
局部信号発振器１０９は、選局したチャンネルの希望周波数中心が低ＩＦ（Low−IF）
になるような局部発振信号を生成する。ミキサ１０６は、ＲＦ受信信号を低ＩＦ信号に変
換する周波数変換部である。ミキサ１０６は、局部信号発振器１０９から入力された局部
発振信号を用いて、ＲＦ受信信号の周波数（ＲＦ）を低ＩＦに変換（ダウンコンバート）
する。ミキサ１０６は、変換後の低ＩＦ信号を多相フィルタ１１０ａに入力する。
【０１０７】
多相フィルタ１１０ａは、周波数変換部であるミキサ１０６からの出力信号から希望信
号を抽出する抽出部である。多相フィルタ１１０ａは、ミキサ１０６から入力される低Ｉ
Ｆ信号から負の周波数を除去する。このようにして、多相フィルタ１１０ａは、希望信号
だけを通過させて、非希望信号を除去する。多相フィルタ１１０ａは、非希望信号除去後
の希望信号を増幅器１１２に入力する。
【０１０８】
このように、多相フィルタ１１０ａにおいてＲＦ受信信号から希望信号だけが取り出さ
れる。そのため、多相フィルタ１１０ａよりも前段に設けられているＬＮＡ１０１、ＧＣ
Ａ１０３、ＧＣＡ１０５が、希望信号と非希望信号を含むＲＦ受信信号を増幅する第１増
幅器となる。一方、多相フィルタ１１０ａよりも後段に設けられている増幅器１１２，１
１４は、希望信号だけを増幅する第２増幅器となる。
【０１０９】
復調器２００ａは、アナログ／デジタル変換部２０１と、Ｉ／Ｑ変換部２１２と、電力
検出部２０３と、ＦＦＴ処理部２０４と、周波数デインタリーブ処理部２０５と、時間デ
インタリーブ処理部２０６と、デマッピング処理部２０７と、ビットデインタリーブ処理
部２０８と、ビタビ復号部２０９と、バイトデインタリーブ処理部２１０と、ＲＳ復号部
２１１とを備える。このように、低ＩＦ方式の復調器２００ａは、ダイレクトコンバージ
ョン方式の復調器２００と、アナログ／デジタル変換部２０１が１つであり、Ｉ／Ｑ変換
部２１２を備える点が異なっており、他の構成は実質的に同様である。
【０１１０】
アナログ／デジタル変換部２０１は、周波数変換器１００ａから入力されたアナログ信
号である希望信号をデジタル信号に変換する。アナログ／デジタル変換部２０１は、変換
後のデジタル信号をＩ／Ｑ変換部２１２に入力する。Ｉ／Ｑ変換部２１２は、低ＩＦ信号
をＩ軸成分（実軸成分）とＱ軸成分（虚軸成分）に変換し、ＦＦＴ処理部２０４に入力す
る。これらの点以外は、受信装置１ａは、受信装置１と実質的に同様である。
【０１１１】
又、図６に示すようにして、判定部４００ａは、希望信号の電力と非希望信号の電力と
の関係の判定を行うことができる。尚、図６では、判定、切り替え制御の説明に必要な部
分のみを記載し、その他の記載を省略している。ＬＰＦ１１０，１１１によりＲＦ受信信
号から希望信号が取り出される。そのため、ＬＰＦ１１０，１１１への入力信号の電力と
、ＬＰＦ１１０，１１１からの出力信号の電力との差が、希望信号と非希望信号を含むＲ
Ｆ受信信号の電力と、希望信号の電力との電力差となる。よって、受信装置は、ＬＰＦ１
１０，１１１の前後における信号の電力を検出する電力検出部１０４ａを備えるようにし
てもよい。
【０１１２】
電力検出部１０４ａは、検出したＬＰＦ１１０，１１１への入力信号の電力と、ＬＰＦ
１１０，１１１からの出力信号の電力を判定部４００ａに入力する。判定部４００ａは、
ＬＰＦ１１０，１１１への入力信号の電力と、ＬＰＦ１１０，１１１からの出力信号の電
力との電力差を求め、使用系統の判断に利用できる。
【０１１３】
尚、低ＩＦ方式の場合も同様に、受信装置は、多相フィルタ１１０ａへの入力信号の電
力と、多相フィルタ１１０ａからの出力信号の電力を検出し、判定部４００ａに入力する
電力検出部１０４ａを備えることができる。そして、判定部４００ａは、多相フィルタ１
１０ａへの入力信号の電力と、多相フィルタ１１０ａからの出力信号の電力との電力差を
求め、使用系統の判断に利用できる。
【０１１４】
更に、判定部４００ａは、受信装置の位置を用いて、希望信号の電力と非希望信号の電
力との関係の判定を行うことができる。この場合、受信装置は、受信装置の現在位置を検
出する位置検出部１１８を備える。位置検出部１１８は、ＧＰＳ（Global  Positioning
System）や、移動通信網において使用する基地局番号やセルＩＤ等の位置情報を利用し
て、受信装置の位置を検出する。位置検出部１１８は、検出した位置を判定部４００ａに
入力する。
【０１１５】
判定部４００ａは、希望信号の電力と非希望信号の電力との関係に関する情報と、位置
との関係（以下「位置情報」という）を記憶する位置情報記憶部４０１を備える。尚、判
定部４００ａは、受信装置外部のデータベースから位置情報を取得するようにしてもよい
。
【０１１６】
例えば、予め非希望信号の電力が非常に大きくなる場所が分かっている場合がある。そ
のため、位置情報記憶部４０１は、位置情報として、非希望信号の電力が非常に大きくな
る場所を記憶しておくことができる。具体的には、デジタル放送信号とアナログ放送信号
の送信場所が異なる地域において、受信装置がアナログ放送信号の送信場所付近でデジタ
ル放送信号を受信した場合、アナログ放送信号の電力がデジタル放送信号の電力に比べて
非常に高くなってしまう。そのため、位置情報記憶部４０１は、このようなアナログ放送
信号の送信場所を位置情報として記憶しておくことができる。
【０１１７】
又、フリンジエリア（受信エリアの端）やフェージング環境において受信を行う場合に
、極端に希望信号の電力が非希望信号よりも小さくなってしまうおそれがある。そのため
、位置情報記憶部４０１は、このようなフリンジエリアやフェージングが起こりやすい場
所を位置情報として記憶しておくことができる。
【０１１８】
判定部４００ａは、受信装置の位置だけを用いて希望信号の電力と非希望信号の電力と
の関係の判定を行うことができる。例えば、判定部４００ａは、受信装置の位置がアナロ
グ放送信号の送信場所付近の場合には、Ｄ／Ｕ比は低くなり、電力差は大きくなると判定
する。又、判定部４００ａは、電力検出部１０４，１０４ａ，２０３が検出した電力や増
幅制御信号による判定の精度を向上させるために、受信装置の位置を用いることもできる
。これによれば、位置に依存して希望信号と非希望信号の受信状況が変動する際に、受信
装置は位置情報を反映させた判定ができる。
【０１１９】
又、上記実施形態では、切り替え部としてスイッチ１０２を用いたが、図６に示すよう
に、加算器１０２ａと、乗算器１０２ｂ，１０２ｃを組み合わせた切り替え部を用いても
よい。判定部４００ａは、第１系統を使用する場合には、乗算器１０２ｃに切り替え制御
信号として「１」を入力し、乗算器１０２ｂに切り替え制御信号として「０」を入力する
。乗算器１０２ｃは、ＬＮＡ１０２ｃにより増幅されたＲＦ受信信号に「１」を乗算して
加算器１０２ａに入力する。乗算器１０２ｂは、バンドパスフィルタ６００から入力され
たＲＦ受信信号に「０」を乗算して加算器１０２ａに入力する。加算器１０２ａは、乗算
器１０２ｂ，１０２ｃから入力される信号を加算し、ＬＮＡ１０１により増幅されたＲＦ
受信信号をＧＣＡ１０３に入力できる。
【０１２０】
一方、判定部４００ａは、第２系統を使用する場合には、乗算器１０２ｂに切り替え制
御信号として「１」を入力し、乗算器１０２ｃに切り替え制御信号として「０」を入力す
る。乗算器１０２ｂは、バンドパスフィルタ６００から入力されたＲＦ受信信号に「１」
を乗算して加算器１０２ａに入力する。乗算器１０２ｃは、ＬＮＡ１０２ｃにより増幅さ
れたＲＦ受信信号に「０」を乗算して加算器１０２ａに入力する。加算器１０２ａは、乗
算器１０２ｂ，１０２ｃから入力される信号を加算し、ＬＮＡ１０１による増幅を施され
ていないＲＦ受信信号をＧＣＡ１０３に入力できる。尚、スイッチ１１６，１１７も、加
算器と乗算器を組み合わせた切り替え部に置き換えることができる。
【０１２１】
又、スイッチ１０２，１１６，１１７を設ける位置も限定されない。例えば、スイッチ
１０２を、ＬＮＡ１０１の前段に設け、ＲＦ受信信号をＬＮＡ１０１に入力する経路とＧ
ＣＡ１０３に入力する経路とを切り替えてもよい。同様に、スイッチ１１６，１１７を増
幅器１１２，１１３と増幅器１１４，１１５との間に設け、増幅器１１２，１１３により
増幅された希望信号を増幅器１１４，１１５に入力する経路と復調器２００に入力する経
路とを切り替えてもよい。
【０１２２】
又、希望信号と非希望信号の電力の関係の判定を行い、その判定結果に基づいて第１増
幅器による増幅と第２増幅器による増幅の切り替える制御部は、判定部と切り替え部とを
組み合わせたものに限定されない。例えば、判定を行い、その判定結果に基づいて、ＬＮ
Ａ１０１等の第１増幅器と、増幅器１１４，１１５等の第２増幅器に対する増幅制御信号
を生成することにより、第１増幅器による増幅と第２増幅器による増幅とを切り替えるよ
うにしてもよい。
【０１２３】
更に、上記実施形態では、地上波デジタル放送によるデジタル放送信号が希望信号であ
る場合を例にとって説明したが、本発明の受信装置１，１ａは、デジタル放送信号に限定
されず、様々な希望信号の受信に適用できる。例えば、ＣＤＭＡ方式の携帯電話機あるい
は無線ＬＡＮやブルートゥース（Bluetooth：登録商標）と呼ばれる無線通信システムを
構成する受信装置においても本発明を適用することができる。又、受信装置１は、ミキサ
１０６，１０７を切り替える構成にしてもよい。更に、ＧＣＡ１０３は、ＲＦ受信信号の
電力を用いて制御されているが、ベースバンド信号の電力を用いて制御されてもよい。
更に、増幅器１１２〜１１５に代えて、ＧＣＡを用いてもよい。
【図面の簡単な説明】
【０１２４】
【図１】本発明の実施形態に係る受信装置の構成を示すブロック図である。
【図２】本発明の実施形態に係る受信信号のスペクトラムを示す図である。
【図３】本発明の実施形態に係る起動時の受信装置の動作手順を示すフロー図である。
【図４】本発明の実施形態に係る受信中の受信装置の動作手順を示すフロー図である。
【図５】本発明の変更例に係る受信装置の構成を示すブロック図である。
【図６】本発明の変更例に係る判定、切り替え制御部分を示すブロック図である。
【符号の説明】
【０１２５】
１，１ａ…受信装置
１００，１００ａ…周波数変換器
１０１…ＬＮＡ
１０２，１１６，１１７…スイッチ
１０２ａ…加算器
１０２ｂ，１０２ｃ…乗算器
１０３，１０５…ＧＣＡ
１０４，１０４ａ，２０３…電力検出部
１０６，１０７…ミキサ
１０８…９０度位相器
１０９…局部信号発振器
１１０，１１１…ＬＰＦ
１１０ａ…多相フィルタ
１１２，１１３，１１４，１１５…増幅器
１１８…位置検出部
２００，２００ａ…復調器
２０１，２０２…アナログ／デジタル変換部
２０４…ＦＦＴ処理部
２０５…周波数デインタリーブ処理部
２０６…時間デインタリーブ処理部
２０７…デマッピング処理部
２０８…ビットデインタリーブ処理部
２０９…ビタビ復号部
２１０…バイトデインタリーブ処理部
２１１…ＲＳ復号部
２１２…Ｉ／Ｑ変換部
３００…デコーダ
３０１…ＭＰＥＧデコード処理部
３０２…デジタル／アナログ変換部
４００，４００ａ…判定部
４０１…位置情報記憶部
５００…アンテナ
６００…バンドパスフィルタ
７００…映像／音声出力部
【図１】
2006115345.tif 000003
【図２】
2006115345.tif 000004
【図３】
2006115345.tif 000005
【図４】
2006115345.tif 000006
【図５】
2006115345.tif 000007
【図６】
2006115345.tif 000008